(57)【要約】      （修正有）【課題】側面パネルを左右に分割して開封することができる段ボール箱を形成できる箱用シートを提供する。【解決手段】箱用シートは、中芯の稜線が上下方向に配向される１枚の段ボールシートから形成され、箱状に組み立てられる箱用シートであって、左右方向に交互に連設され、組み立て状態で四角筒状体を形成する一対の第１側面パネル１、２及び一対の第２側面パネル３、４を備え、第１側面パネル１、２が、上下に縦断するよう形成され、左右両側の部分から分離される側面開封容易部１６を有し、側面開封容易部１６が、上下方向に延びる互いに平行な一対の破断容易線２０により画定される引き裂き帯１８を有し、引き裂き帯１８が、左右方向に横断するよう形成される複数の折り曲げ容易線２１を有する。【選択図】図１
0003217117.tif 000002
【実用新案登録請求の範囲】
【請求項１】
中芯の稜線が上下方向に配向される１枚の段ボールシートから形成され、箱状に組み立てられる箱用シートであって、
左右方向に交互に連設され、組み立て状態で四角筒状体を形成する一対の第１側面パネル及び一対の第２側面パネルを備え、
上記第１側面パネルが、上下に縦断するよう形成され、左右両側の部分から分離される側面開封容易部を有し、
上記側面開封容易部が、上下方向に延びる互いに平行な一対の破断容易線により画定される引き裂き帯を有し、
上記引き裂き帯が、左右方向に横断するよう形成される複数の帯折り曲げ容易線を有することを特徴とする箱用シート。
【請求項２】
上記引き裂き帯の上記複数の帯折り曲げ容易線の平均間隔が、上記引き裂き帯の平均幅の１．０倍以上４．０倍以下である請求項１に記載の箱用シート。
【請求項３】
上記側面開封容易部が、上記引き裂き帯を画定する一対の破断容易線の一端から上記第１側面パネルの角に延びる一対の破断容易線により画定される拡幅分離部を有する請求項１又は請求項２に記載の箱用シート。
【請求項４】
上記第１側面パネルの上縁又は下縁から延出し、組み立て状態で上記四角筒状体の端部開口を封止する一対の外フラップと、
上記第２側面パネルの上縁又は下縁から延出し、組み立て状態で上記一対の外フラップの内側に重ねられる一対の内フラップと
をさらに備え、
上記外フラップが、上記側面開封容易部に連続して形成され、上記外フラップの基端縁から側縁又は先端縁に延びる一対の破断容易線により画定されるフラップ開封容易部を有する請求項１、請求項２又は請求項３に記載の箱用シート。
【請求項５】
上記外フラップの先端縁から延出する差込片をさらに備え、
上記内フラップが先端部中央に上記差込片が挿入されるスリットを有する請求項４に記載の箱用シート。
【考案の詳細な説明】
【技術分野】
【０００１】
本考案は、箱用シートに関する。
【背景技術】
【０００２】
段ボールシートから形成され、物品を収容する包装箱が使用されている。中でも、みかん箱タイプの箱体（いわゆるＡ式ケース）のように、左右方向に連設される４つの側面パネルを無端状に接続して上下が開口する四角筒状体を形成し、この四角筒状体の上下の開口部を、各側面パネルの上下に連接されるパネルを組み合わせて閉鎖することで形成される箱体、特に１枚の段ボールシートから形成される段ボール箱が広く利用されている。
【０００３】
また、段ボール箱の中には、段ボールシートのパネルを切断して複数の部分に分割することで容易に開封できるように構成されているものも存在する。段ボールシートのパネルを容易に切断可能とする構成としては、例えば容易に破断しない程度に幅の小さい樹脂フィルムから形成されるカットテープを段ボールシートの内面に貼り付けた構成が知られている。
【０００４】
例えば実開昭５４−１６２５８４号公報には、１つの側面パネルの内面に上下に縦断するようカットテープを貼り付け、側面パネルのカットテープ貼着部分を細い帯状に分離することで、側面パネルを左右に分割して開封することができる段ボール箱が記載されている。
【０００５】
また、段ボールシートを帯状に分離可能とするための構成としては、互いに平行に形成される一対の破断容易線によって画定される引き裂き帯も広く採用されている。このような引き裂き帯を形成する破断容易線としては、段ボールシートをミシン目状に断続的に切断したもの、つまり短い切断線を間隔を開けて複数並んで形成したものとすることができる。一般的には、各切断線の破断方向上流側部分を対向する切断容易線側に折り曲げて、上流側の切断線の下流端を起点とする段ボールシートの破断線が下流側の切断線に到達しやすくした引き裂き帯が多くの段ボール箱に採用されている。
【０００６】
しかしながら、このような引き裂き帯は、段ボールシートの中芯の稜線に平行に設けると、引き裂き帯の分離途中に、既に分離された部分を破断方向下流側にスムーズに折り返すことができず、段ボールシートの破断を破断容易線に沿って進行させることが容易ではなくなり、引き裂き帯が途中でちぎれてしまうといった不具合を生じやすい。
【０００７】
一般に、上下が開口する四角筒状体を有する段ボール箱では、段ボール箱を積み重ねても潰れることがないよう座屈強度（上下方向の圧縮強さ）を大きくするために、中芯の稜線が上下方向に延びるよう段ボールシートが配向される。
【０００８】
このため、上記公報に記載の段ボール箱において、カットテープに換えて一対の破断容易線から形成される引き裂き帯を採用すると、引き裂き帯の向きが中芯の稜線に平行となり、引き裂き帯を連続して分離することが容易ではなくなるおそれがある。
【先行技術文献】
【特許文献】
【０００９】
【特許文献１】実開昭５４−１６２５８４号公報
【考案の概要】
【考案が解決しようとする課題】
【００１０】
上記不都合に鑑みて、本考案は、側面パネルを左右に分割して開封することができる段ボール箱を形成できる箱用シートを提供することを課題とする。
【課題を解決するための手段】
【００１１】
上記課題を解決するためになされた本考案に係る箱用シートは、中芯の稜線が上下方向に配向される１枚の段ボールシートから形成され、箱状に組み立てられる箱用シートであって、左右方向に交互に連設され、組み立て状態で四角筒状体を形成する一対の第１側面パネル及び一対の第２側面パネルを備え、上記第１側面パネルが、上下に縦断するよう形成され、左右両側の部分から分離される側面開封容易部を有し、上記側面開封容易部が、上下方向に延びる互いに平行な一対の破断容易線により画定される引き裂き帯を有し、上記引き裂き帯が、左右方向に横断するよう形成される複数の帯折り曲げ容易線を有することを特徴とする。
【００１２】
当該箱用シートを組み立ててなる段ボール箱は、上記第１側面パネルが、上下に縦断するよう形成され、左右両側の部分から分離される上記側面開封容易部を有することによって、上記第１側面パネルを左右に分割して開封することができる。また、当該箱用シートは、上記側面開封容易部の上記引き裂き帯が、左右方向に横断するよう形成される複数の帯り曲げ容易線を有することによって、左右両側の部分から分離された引き裂き帯を容易に折り返すことができ、引き裂き帯の分離を容易且つ確実に進行させることができる。このため、当該箱用シートを組み立ててなる段ボール箱は、容易に開封することができる。
【００１３】
当該箱用シートにおいて、上記引き裂き帯の上記複数の帯折り曲げ容易線の平均間隔が、上記引き裂き帯の平均幅の１．０倍以上４．０倍以下であることが好ましい。このように、上記引き裂き帯の上記複数の帯折り曲げ容易線の平均間隔を上記範囲内とすることによって、引き裂き帯の既に分離された部分を破断方向下流側によりスムーズに折り返すことが可能となり、引き裂き帯の分離をより確実にすることができる。
【００１４】
当該箱用シートにおいて、上記側面開封容易部が、上記引き裂き帯を画定する一対の破断容易線の一端から上記第１側面パネルの角に延びる一対の破断容易線により画定される拡幅分離部を有してもよい。このように、上記側面開封容易部が、上記引き裂き帯を画定する一対の破断容易線の一端から上記第１側面パネルの角に延びる一対の破断容易線により画定される拡幅分離部を有することによって、上記第１側面パネルの上記側面開封容易部の左右両側の部分を台形状に残し、この左右両側の部分を上記第１側面パネルの側縁を軸にフラップ状に回動させて上記第１側面パネル前面を開放することが容易となる。
【００１５】
当該箱用シートは、上記第１側面パネルの上縁又は下縁から延出し、組み立て状態で上記四角筒状体の端部開口を封止する一対の外フラップと、上記第２側面パネルの上縁又は下縁から延出し、組み立て状態で上記一対の外フラップの内側に重ねられる一対の内フラップとをさらに備え、上記外フラップが、上記側面開封容易部に連続して形成され、上記外フラップの基端縁から側縁又は先端縁に延びる一対の破断容易線により画定されるフラップ開封容易部を有してもよい。このように、上記外フラップ及び上記内フラップをさらに備え、上記外フラップが、上記側面開封容易部に連続して形成され、上記外フラップの基端縁から側縁又は先端縁に延びる一対の破断容易線により画定されるフラップ開封容易部を有することによって、上記側面開封容易部に隣接する上記外フラップを左右に分割して上記第１側面パネルと共に開放することができる。
【００１６】
当該箱用シートにおいて、上記外フラップの先端縁から延出する差込片をさらに備え、上記内フラップが先端部中央に上記差込片が挿入されるスリットを有してもよい。このように、上記外フラップの先端縁から延出する差込片をさらに備え、上記内フラップが先端部中央に上記差込片が挿入されるスリットを有することによって、上記差込片を上記スリットに挿入することで上記外フラップを粘着テープ等を用いずに保持して段ボール箱を封函することができる。このため、開封時に上記スリットから上記差込片を引き抜くことで、分離した上記フラップ開封容易部を段ボール箱から容易に切り離すことができる。
【００１７】
なお、本明細書において、「左右方向」とは、当該箱用シートを組み立ててなる箱体の想定される一般的な使用態様における水平方向に対応する方向であり、「上」及び「下」とは、想定される一般的な使用態様における上下方向を意味しているが、当該箱用シートの製造時の向きや当該箱用シートを組み立ててなる段ボール箱の使用時の向きを制限することを企図しない。
【考案の効果】
【００１８】
以上のように、本考案に係る箱用シートは、側面パネルを左右に分割して開封することができる段ボール箱を形成できる。
【図面の簡単な説明】
【００１９】
【図１】本考案の一実施形態の箱用シートを示す模式的平面図（展開図）である。
【図２】図１の箱用シートを組み立ててなる段ボール箱の模式的斜視図である。
【図３】図１の箱用シートの引き裂き帯を示す模式的部分拡大平面図である。
【図４】図２の段ボール箱を開封した状態を示す模式的斜視図である。
【考案を実施するための形態】
【００２０】
以下、適宜図面を参照しつつ、本考案の実施の形態を詳説する。
【００２１】
［箱用シート］
図１に、本考案の一実施形態に係る箱用シートを示す。当該箱用シートは、図２に示すように箱状に組み立てられて段ボール箱を形成する。
【００２２】
当該箱用シートは、中芯の稜線が上下方向に配向される１枚の段ボールシートから形成される。なお、図１において、太い実線は段ボールシートを切断した切断線を示し、細い実線は段ボールシートの一方の面（通常は組み立て状態で内側に配置される面）に筋押しして形成される罫線を示す。
【００２３】
当該箱用シートを形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２４】
当該箱用シートは、左右方向に交互に連設される一対の第１側面パネル（後第１側面パネル１、前第１側面パネル２）及び一対の第２側面パネル（右第２側面パネル３、左第２側面パネル４）と、後第１側面パネル１の右第２側面パネル３と反対側の側縁に連接され、左第２側面パネル４の前第１側面パネル２と反対側の側縁近傍部の内面に接着されることにより、二対の側面パネル１〜４を無端状に連結する継ぎしろ５と、二対の側面パネル１〜４の上縁から延出する４つの蓋フラップ（一対の第１側面パネル１，２の上縁から延出する後蓋フラップ６及び前蓋フラップ７、並びに一対の第２側面パネル３，４の上縁から延出する右蓋フラップ８及び左蓋フラップ９）と、二対の側面パネル１〜４の下縁から延出する４つの底フラップ（後底フラップ１０、前底フラップ１１、右底フラップ１２、左底フラップ１３）と、後蓋フラップ６及び前蓋フラップ７の先端縁から延出する一対の差込片（後差込片１４、前差込片１５）を備える。
【００２５】
当該箱用シートは、通常、左第２側面パネル４の内面に継ぎしろ５を接着して側面パネル１〜４を無端ループ状に接続し、後第１側面パネル１を右第２側面パネル３の内面に密着させ、左第２側面パネル４を前第１側面パネル２の内面に密着させた状態でユーザーに提供される。左第２側面パネル４への継ぎしろ５の接着は、例えば接着剤、ステープラー等を用いて行うことができる。
【００２６】
当該箱用シートは、図２に示すように、一対の第１側面パネル１，２同士及び一対の第２側面パネル３，４同士をそれぞれ対向させて四角筒状体を形成し、この四角筒状体の上端を蓋フラップ６〜９で封止し、下端を底フラップ１０〜１３で封止することによって、底体及び蓋体を有し、内部に物品を収容可能な段ボール箱に組み立てられる。
【００２７】
〔側面パネル〕
本考案を限定するものではないが、図示する実施形態において、４つの側面パネル１〜４は、左右方向の幅よりも上下方向の高さが大きく、互いに略等しい長方形状である。これらの側面パネル１〜４は、断面が正方形状の四角筒状部を形成する。
【００２８】
当該箱用パネルを組み立ててなる段ボール箱の正面を構成する前第１側面パネル２は、上下に縦断するよう形成され、左右両側の部分から分離される側面開封容易部１６を有する。当該箱用パネルを組み立ててなる段ボール箱は、側面開封容易部１６を切除することにより、前第１側面パネル１の側縁を中心に揺動して段ボール箱の前面を開放するスイングドア状の一対の開口フラップ１７が形成される。
【００２９】
＜側面開封容易部＞
側面開封容易部１６は、前第１側面パネル２の上縁の中央部から下方に真っ直ぐ延びる細長い引き裂き帯１８と、この引き裂き帯１８の下端を頂点とし、前第１側面パネル２の下縁を底辺とする二等辺三角形状の拡幅分離部１９とを有する。
【００３０】
（引き裂き帯）
この引き裂き帯１８は、上下方向に延びる互いに平行な一対の第１破断容易線２０により画定される。また、引き裂き帯１８は、それぞれ左右方向に横断して一対の第１破断容易線２０間を接続するよう形成される複数の帯折り曲げ容易線２１を有する。
【００３１】
引き裂き帯１８は、上から下に向かって一対の第１破断容易線２０を破断することにより、前第１側面パネル２の他の部分から帯状に分離される。
【００３２】
第１破断容易線２０は、図３に詳しく示すように、等間隔で繰り返し形成される切断線２２の列によって形成される。この第１破断容易線２０を形成する各切断線２２は、上下方向（破断方向）に延びる主部２３と、この主部２３の上端（破断方向上流側の端部）から上方且つ対向する第１破断容易線２０側に斜めに延びる受け部２４とを有する構成とすることができる。
【００３３】
引き裂き帯１８の平均幅（主部２３の左右方向の平均間隔）の下限としては、１０ｍｍが好ましく、１２ｍｍがより好ましい。一方、引き裂き帯１８の平均幅の上限としては、２５ｍｍが好ましく、２０ｍｍがより好ましい。引き裂き帯１８の平均幅が上記下限に満たない場合、引き裂き帯１８が断裂しやすくなるおそれがある。逆に、引き裂き帯１８の平均幅が上記上限を超える場合、引き裂き帯１８の剛性が過剰となって、引き裂き帯１８を分離することが容易でなくなるおそれがある。
【００３４】
帯折り曲げ容易線２１は、段ボールシートの強度低下を抑制して引き裂き帯１８が分離途中に破断することを防止するために、段ボールシートの一方の面に筋押しして形成される罫線によって形成することが好ましい。
【００３５】
また、帯折り曲げ容易線２１は、引き裂き帯１８の折り返しを効率よく促進すると共に、引き裂き帯１８の断裂が促進されることを防止するために、切断線２２の主部２３の間を接続するよう形成されることが好ましい。
【００３６】
複数の帯折り曲げ容易線２１の平均間隔の下限としては、引き裂き帯１８の平均幅の１．０倍が好ましく、１．５倍がより好ましい。一方、複数の帯折り曲げ容易線２１の平均間隔の上限としては、引き裂き帯１８の平均幅の４．０倍が好ましく、３．０倍がより好ましい。複数の帯折り曲げ容易線２１の平均間隔が上記下限に満たない場合、当該箱用シートを形成するための抜き型（トムソン型）が不必要に高価となるおそれがある。逆に、複数の帯折り曲げ容易線２１の平均間隔が上記上限を超える場合、引き裂き帯１８の折り返し、ひいては引き裂き帯１８の分離を十分に促進できないおそれがある。
【００３７】
（拡幅分離部）
拡幅分離部１９は、一対の第１破断容易線２０の下端から前第１側面パネル２の下側の角に延びる一対の第２破断容易線２５により画定される。つまり、拡幅分離部１９は、一対の第２破断容易線２５と前第１側面パネル２の下縁とによって囲まれる三角形状の部分である。
【００３８】
この拡幅分離部１９は、その上端部を起点として、引き裂き帯１８の分離に引き続いて、前第１側面パネル２の他の部分から分離される。
【００３９】
拡幅分離部１９を画定する第２破断容易線２５の構成としては、傾斜して延びるよう形成される点を除いて、引き裂き帯１８を画定する第１破断容易線２０の構成と同様とすることができる。
【００４０】
第２破断容易線２５の左右方向に対する傾斜角度の下限としては、３０°が好ましく、４０°がより好ましい。一方、第２破断容易線２５の左右方向に対する傾斜角度の上限としては、６０°が好ましく、５０°がより好ましい。第２破断容易線２５の左右方向に対する傾斜角度が上記下限に満たない場合、拡幅分離部１９を分離することが容易でなくなるおそれがある。逆に、第２破断容易線２５の左右方向に対する傾斜角度が上記上限を超える場合、拡幅分離部１９の上下方向の高さが不必要に大きくなることで、側面開封容易部１６においてより分離しやすい引き裂き帯１８の上下方向の長さが相対的に小さくなることで、側面開封容易部１６の分離しやすさが不必要に低下するおそれがある。
【００４１】
〔蓋フラップ〕
４つの蓋フラップ６〜９のうち、後第１側面パネル１及び前第１側面パネル２の上縁から延出する後蓋フラップ６及び前蓋フラップ７は、当該箱用シートを組み立ててなる段ボール箱の上面を構成する外フラップであり、右第２側面パネル３及び左第２側面パネル４の上縁から延出する右蓋フラップ８及び左蓋フラップ９は、当該箱用シートを組み立ててなる段ボール箱においての外フラップ（後蓋フラップ６及び前蓋フラップ７）の内側に重ねられる内フラップである。
【００４２】
側面開封容易部１６が形成される前第１側面パネル２の上縁から延出する前蓋フラップ７は、側面開封容易部１６に連続して形成されるフラップ開封容易部２６を有する。
【００４３】
＜フラップ開封容易部＞
フラップ開封容易部２６は、前蓋フラップ７の基端縁から側縁と先端縁との角部に延びる一対の第３破断容易線２９により画定される。
【００４４】
フラップ開封容易部２６を画定する第３破断容易線２９の構成としては、傾斜して延びるよう形成される点を除いて、引き裂き帯１８を画定する第１破断容易線２０の構成と同様とすることができる。
【００４５】
フラップ開封容易部２６は、一対の第３破断容易線２９が前蓋フラップ７の基端縁から前蓋フラップ７の先端縁に向かって破断され、前蓋フラップ７の他の部分から分離されることによって、前蓋フラップ７の両端部に一対の開口フラップ１７の上縁から連続する一対の付属片３０を形成する。この付属片３０は、当該箱用シートを組み立ててなる段ボール箱の前面を開放するために、図４に示すように、開口フラップ１７の上方に跳ね上げられて、開口フラップ１７と共に左右方向外側に回動される。
【００４６】
（スリット）
また、右蓋フラップ８及び左蓋フラップ９は、先端部中央に、上下方向に延び、先端縁に開口するよう形成される一対のスリット（右スリット２７、左スリット２８）を有する。この一対のスリット２７，２８は、当該箱用シートを組み立ててなる段ボール箱において、差込片１４，１５が重ね合わせ状態で差し込まれる１本の細長い開口を形成する。
【００４７】
当該箱用シートを組み立ててなる段ボール箱は、差込片１４，１５をスリット２７，２８に挿入することによって後蓋フラップ６及び前蓋フラップ７を粘着テープ等を用いずに付き合わせ状態に保持して封函することができる。このため、当該箱用シートを組み立ててなる段ボール箱の開封時には、フラップ開封容易部２６を分離した後、フラップ開封容易部２６の先端に連設されている差込片１５をスリット２７，２８から引き抜くことによって、分離したフラップ開封容易部２６を段ボール箱から容易に切り離すことができる。
【００４８】
〔底フラップ〕
後底フラップ１０及び前底フラップ１１は、基端縁の一端から左右方向に対して４５°の角度で延びるよう形成される底折り曲げ容易線３１により三角形状の折り返し部３２が画定されている。当該箱用シートは、底フラップ１０〜１３を側面パネル１〜４の内面側に折り返し、さらに後底フラップ１０及び前底フラップ１１の折り返し部３２を後底フラップ１０及び前底フラップ１１の他の部分の外面側に折り返し、この折り返し部３２の内面に右底フラップ１２及び左底フラップ１３が予め貼着された状態でユーザーに提供されることが企図される。
【００４９】
底フラップ１０〜１３は、側面パネル１〜４を四角筒状に組み立てる際に、後底フラップ１０及び前底フラップ１１の折り返し部３２と反対側の端部の外面側に右底フラップ１２及び左底フラップ１３の折り返し部３２に貼着されていない側の端部が滑り込むことで、底フラップ１０〜１３が組み合わされた底体を形成する。
【００５０】
このような底フラップ１０〜１３の構成は、例えばＪＩＳ−Ｚ１５０７（１９８９）にコード番号０７１２号として規定され、ワンタッチ底として知られているものである。
【００５１】
＜利点＞
当該箱用シートを組み立ててなる段ボール箱は、前第１側面パネル２が、側面開封容易部１６を有することによって、前第１側面パネル２を一対の開口フラップ１７を残すように左右に分割するので、一対の開口フラップ１７を観音開きするように開封することができる。また、当該箱用シートは、側面開封容易部１６の引き裂き帯１８が、左右方向に横断するよう形成される複数の帯折り曲げ容易線２１を有することによって、左右両側の部分から分離された引き裂き帯１８を容易に折り返すことができ、引き裂き帯１８の分離を容易且つ確実に進行させることができる。このため、当該箱用シートを組み立ててなる段ボール箱は、容易に開封することができる。
【００５２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５３】
当該箱用シートにおいて、側面開封容易部は、引き裂き帯のみから構成され、拡幅分離部を有しなくてもよく、上側に拡幅分離部を有してもよい。
【００５４】
当該箱用シートにおいて、側面開封容易部の引き裂き帯は、下から上に分離されるよう構成されてもよく、中央から上に向かって分離される部分と中央から下に向かって分離される部分とに分割されるよう形成されてもよい。
【００５５】
当該箱用シートにおいて、フラップ開封容易部は必須ではなく、引き裂き帯と側面パネルの側縁又は外フラップの側縁又は先端縁との間の段ボールシートを切断可能な他の構成を備えてもよい。
【００５６】
フラップ開封容易部を画定する一対の破断容易線は、前蓋フラップ７の基端縁から側縁又は先端縁の任意の点に延びるものであってもよい。
【００５７】
当該箱用シートにおいて、４つの側面パネルから形成される四角筒状体の端部を封止するための構成は、上述の実施形態のものに限られず、他の任意の構成を採用することができる。例として、ＪＩＳ−Ｚ１５０７（１９８９）にコード番号０２１２号として規定される形態のように、側面開封容易部が形成される側面パネルの上側には他のパネルが連設されず、側面開封容易部が形成される側面パネルに対向する側面パネルの上縁から延出し、四角筒状体の開口全体を覆うフラップの先端設けられる差込片を側面開封容易部が形成される側面パネルの上端部の内面側に挿入する構成としてもよい。
【産業上の利用可能性】
【００５８】
本考案に係る箱用シートは、例えば花卉等、相対的に上下高さが大きく、転倒させることなく前面を開放して店頭に展示される商品の輸送及び展示に用いられる収納容器として特に好適に利用することができる。
【符号の説明】
【００５９】
１  後第１側面パネル
２  前第１側面パネル
３  右第２側面パネル
４  左第２側面パネル
５  継ぎしろ
６  後蓋フラップ
７  前蓋フラップ
８  右蓋フラップ
９  左蓋フラップ
１０  後底フラップ
１１  前底フラップ
１２  右底フラップ
１３  左底フラップ
１４  後差込片
１５  前差込片
１６  側面開封容易部
１７  開口フラップ
１８  引き裂き帯
１９  拡幅分離部
２０  第１破断容易線
２１  帯折り曲げ容易線
２２  切断線
２３  主部
２４  受け部
２５  第２破断容易線
２６  フラップ開封容易部
２７  右スリット
２８  左スリット
２９  第３破断容易線
３０  付属片
３１  底折り曲げ容易線
３２  折り返し部
【図１】
0003217117.tif 000003
【図２】
0003217117.tif 000004
【図３】
0003217117.tif 000005
【図４】
0003217117.tif 000006